(57)【要約】【課題】風呂の湯水温度の変動が少ない安定した保温ができる給湯装置を提供する。【解決手段】給湯装置は、風呂の湯水を追い焚き熱交換器(２０)を介して循環させる風呂循環ポンプ(Ｐ２)と、追い焚き熱交換器(２０)を介して貯湯タンク(１０)内の冷水または温水を循環させて風呂の湯水を冷却するための沸き上げポンプ(Ｐ１)と、風呂循環ポンプ(Ｐ２)と沸き上げポンプ(Ｐ１)を制御する制御装置(１００)を備える。上記制御装置(１００)は、風呂循環ポンプ(Ｐ２)と沸き上げポンプ(Ｐ１)を制御して、風呂の湯水の温度をぬるめの第２風呂設定温度にすると、風呂の湯水の温度を第２風呂設定温度に保つように、風呂循環ポンプ(Ｐ２)を連続運転しながら沸き上げポンプ(Ｐ１)の回転数をフィードバック制御する第２保温運転制御部(１００ｄ)を有する。【選択図】図１
2018100815.tif 000002
【特許請求の範囲】
【請求項１】
風呂の湯水を追い焚き熱交換器(２０)を介して循環させる第１循環ポンプ(Ｐ２)と、
上記追い焚き熱交換器(２０)を介して貯湯タンク内の冷水または温水を循環させて上記風呂の湯水を冷却または加熱するための第２循環ポンプ(Ｐ１)と、
上記第１循環ポンプ(Ｐ２)と上記第２循環ポンプ(Ｐ１)を制御する制御装置(１００)と
を備え、
上記制御装置(１００)は、
上記第１循環ポンプ(Ｐ２)と上記第２循環ポンプ(Ｐ１)を制御して、上記風呂の湯水の温度を風呂設定温度にする風呂温度制御部(１００ｃ,２００ｃ,３００ｃ)と、
上記風呂の湯水の温度を上記風呂設定温度に保つように、上記第１循環ポンプ(Ｐ２)を連続運転しながら上記第２循環ポンプ(Ｐ１)の回転数をフィードバック制御する風呂保温制御部(１００ｄ,２００ｄ,３００ｂ,３００ｄ)を有することを特徴とする給湯装置。
【請求項２】
請求項１に記載の給湯装置において、
上記風呂温度制御部(１００ｃ,２００ｃ,３００ｃ)は、上記風呂の湯水の温度がぬるめまたはあつめにした上記風呂設定温度になるように、上記第１循環ポンプ(Ｐ２)と上記第２循環ポンプ(Ｐ１)を制御し、
上記風呂保温制御部(１００ｄ,２００ｄ,３００ｄ)は、上記風呂の湯水の温度をぬるめまたはあつめにした上記風呂設定温度に保つように、上記第１循環ポンプ(Ｐ２)を連続運転しながら上記第２循環ポンプ(Ｐ１)の回転数をフィードバック制御することを特徴とする給湯装置。
【請求項３】
請求項２に記載の給湯装置において、
上記風呂の湯水の温度を検出する温度センサ(Ｔ１４)を備え、
上記風呂保温制御部(１００ｄ,２００ｄ,３００ｄ)は、上記温度センサ(Ｔ１４)により検出された上記風呂の湯水の温度とぬるめまたはあつめにした上記風呂設定温度との温度差の絶対値が最小になるように、上記第２循環ポンプ(Ｐ１)の回転数を上記フィードバック制御することを特徴とする給湯装置。
【請求項４】
請求項２に記載の給湯装置において、
上記風呂の湯水の温度を検出する温度センサ(Ｔ１４)を備え、
上記風呂保温制御部(１００ｄ,２００ｄ,３００ｄ)は、上記温度センサ(Ｔ１４)により検出された上記風呂の湯水の温度とぬるめまたはあつめにした上記風呂設定温度との温度差の絶対値が所定温度以内になるように、上記第２循環ポンプ(Ｐ１)の回転数を上記フィードバック制御することを特徴とする給湯装置。
【請求項５】
請求項１から４までのいずれか１つに記載の給湯装置において、
上記風呂保温制御部(１００ｄ,２００ｄ,３００ｂ,３００ｄ)は、上記風呂の湯水の温度を上記風呂設定温度に保つとき、上記第１循環ポンプ(Ｐ２)を予め設定された回転数で連続運転することを特徴とする給湯装置。
【請求項６】
請求項１から５までのいずれか１つに記載の給湯装置において、
上記風呂保温制御部(１００ｄ,２００ｄ,３００ｂ,３００ｄ)は、上記風呂の湯水の温度を上記風呂設定温度に保つとき、上記第１循環ポンプ(Ｐ２)を予め設定された回転数で連続運転しながら上記第２循環ポンプ(Ｐ１)の回転数をフィードバック制御しても、上記第１,第２循環ポンプ(Ｐ２,Ｐ１)を用いた冷却能力または加熱能力が、安定した温度制御が可能な能力よりも大きいときは、上記第１循環ポンプ(Ｐ２)の回転数を段階的に下げることを特徴とする給湯装置。
【請求項７】
請求項１から６までのいずれか１つに記載の給湯装置において、
上記風呂保温制御部(１００ｄ,２００ｄ,３００ｂ,３００ｄ)は、上記風呂の湯水の温度を上記風呂設定温度に保つとき、上記第１循環ポンプ(Ｐ２)を予め設定された回転数で連続運転しながら上記第２循環ポンプ(Ｐ１)の回転数をフィードバック制御しても、上記第１,第２循環ポンプ(Ｐ２,Ｐ１)を用いた冷却能力または加熱能力が、安定した温度制御が可能な能力よりも小さいときには、上記第１循環ポンプ(Ｐ２)の回転数を段階的に上げることを特徴とする給湯装置。
【発明の詳細な説明】
【技術分野】
【０００１】
この発明は、給湯装置に関する。
【背景技術】
【０００２】
従来、給湯装置としては、風呂の湯水の温度を風呂設定温度に保つ保温動作を、間隔をあけて繰り返し行うものがある(例えば、特開２０１４−６６４９９号公報(特許文献１)参照)。
【先行技術文献】
【特許文献】
【０００３】
【特許文献１】特開２０１４−６６４９９号公報
【発明の概要】
【発明が解決しようとする課題】
【０００４】
しかしながら、上記従来の給湯装置の保温運転では、風呂の湯温が低下したときに通常の風呂追い焚き運転で追い焚きをするため、風呂に熱い湯が供給されて、湯水温度の変動が大きくなって安定した保温ができないという問題がある。この場合、入浴中のユーザーが違和感や不快感を覚え、快適性が損なわれる。
【０００５】
そこで、この発明の課題は、風呂の湯水温度の変動が少ない安定した保温ができる給湯装置を提供することにある。
【課題を解決するための手段】
【０００６】
上記課題を解決するため、この発明の給湯装置は、
風呂の湯水を追い焚き熱交換器を介して循環させる第１循環ポンプと、
上記追い焚き熱交換器を介して貯湯タンク内の冷水または温水を循環させて上記風呂の湯水を冷却または加熱するための第２循環ポンプと、
上記第１循環ポンプと上記第２循環ポンプを制御する制御装置と
を備え、
上記制御装置は、
上記第１循環ポンプと上記第２循環ポンプを制御して、上記風呂の湯水の温度を風呂設定温度にする風呂温度制御部と、
上記風呂の湯水の温度を上記風呂設定温度に保つように、上記第１循環ポンプを連続運転しながら上記第２循環ポンプの回転数をフィードバック制御する風呂保温制御部を有することを特徴とする。
【０００７】
上記構成によれば、制御装置の風呂温度制御部によって、第１循環ポンプと第２循環ポンプを制御して、風呂の湯水の温度を風呂設定温度にする。そして、制御装置の風呂保温制御部によって、風呂の湯水の温度を風呂設定温度に保つように、第１循環ポンプを連続運転しながら第２循環ポンプの回転数をフィードバック制御する。このように、第２循環ポンプの回転数をフィードバック制御することによって、風呂の湯水温度の変動が少ない安定した保温ができ、ユーザーが違和感や不快感を覚えたり、快適性が損なわれたりしない。
【０００８】
また、上記風呂の湯水を保温するときに第１循環ポンプを連続運転するので、風呂の湯水の温度検出が的確に行えると共に、保温時に風呂の湯水を連続循環させることで、風呂の放熱量に応じた追い焚き熱量を追い焚き運転で効率よく与えることが可能になる。
【０００９】
また、一実施形態の給湯装置では、
上記風呂温度制御部は、上記風呂の湯水の温度がぬるめまたはあつめにした上記風呂設定温度になるように、上記第１循環ポンプと上記第２循環ポンプを制御し、
上記風呂保温制御部は、上記風呂の湯水の温度をぬるめまたはあつめにした上記風呂設定温度に保つように、上記第１循環ポンプを連続運転しながら上記第２循環ポンプの回転数をフィードバック制御する。
【００１０】
上記実施形態によれば、風呂温度制御部によって、第１循環ポンプと第２循環ポンプを制御して、風呂の湯水の温度をぬるめ(またはあつめ)にした風呂設定温度にする。そして、風呂保温制御部によって、風呂の湯水の温度をぬるめ(またはあつめ)にした風呂設定温度に保つように、第１循環ポンプを連続運転しながら第２循環ポンプの回転数をフィードバック制御する。これにより、風呂設定温度よりもぬるめ(またはあつめ)の湯水温度の変動が少ない安定した保温ができ、ぬるめ(またはあつめ)の入浴時における快適性が向上する。
【００１１】
また、一実施形態の給湯装置では、
上記風呂保温制御部は、上記風呂の湯水の温度を検出する温度センサを備え、
上記温度センサにより検出された上記風呂の湯水の温度とぬるめまたはあつめにした上記風呂設定温度との温度差の絶対値が最小になるように、上記第２循環ポンプの回転数を上記フィードバック制御する。
【００１２】
上記実施形態によれば、風呂保温制御部によって、温度センサにより検出された風呂の湯水の温度とぬるめ(またはあつめ)にした風呂設定温度との温度差の絶対値が最小になるように、第２循環ポンプの回転数をフィードバック制御するので、風呂設定温度よりもぬるめ(またはあつめ)の湯水温度の変動をより少なくでき、安定した保温ができる。
【００１３】
また、一実施形態の給湯装置では、
上記風呂の湯水の温度を検出する温度センサを備え、
上記風呂保温制御部は、上記温度センサにより検出された上記風呂の湯水の温度とぬるめまたはあつめにした上記風呂設定温度との温度差の絶対値が所定温度以内になるように、上記第２循環ポンプの回転数を上記フィードバック制御する。
【００１４】
上記実施形態によれば、風呂保温制御部によって、温度センサにより検出された風呂の湯水の温度とぬるめ(またはあつめ)にした風呂設定温度との温度差の絶対値が所定温度以内になるように、第２循環ポンプの回転数をフィードバック制御するので、風呂設定温度よりもぬるめ(またはあつめ)の湯水温度の変動を容易に抑えることができる。
【００１５】
また、一実施形態の給湯装置では、
上記風呂保温制御部は、上記風呂の湯水の温度を上記風呂設定温度に保つとき、上記第１循環ポンプを予め設定された回転数で連続運転する。
【００１６】
上記実施形態によれば、風呂の湯水の温度を風呂設定温度に保つとき、風呂保温制御部によって、第１循環ポンプを予め設定された回転数で連続運転するので、第２循環ポンプの回転数に対するフィードバック制御を容易に行うことができる。
【００１７】
また、一実施形態の給湯装置では、
上記風呂保温制御部は、上記風呂の湯水の温度を上記風呂設定温度に保つとき、上記第１循環ポンプを予め設定された回転数で連続運転しながら上記第２循環ポンプの回転数をフィードバック制御しても、上記第２循環ポンプを用いた冷却能力または加熱能力が、安定した温度制御が可能な能力よりも大きいときは、上記第１循環ポンプの回転数を段階的に下げる。
【００１８】
上記実施形態によれば、風呂の湯水の温度を風呂設定温度に保つとき、第１循環ポンプを予め設定された回転数で連続運転しながら第２循環ポンプの回転数をフィードバック制御しても、上記第１,第２循環ポンプを用いた冷却能力(または加熱能力)が、安定した温度制御が可能な能力よりも大きいときは、第１循環ポンプの回転数を段階的に下げることによって、風呂の湯水に対する冷却能力(または加熱能力)を下げることで安定した温度制御が可能になる。
【００１９】
また、一実施形態の給湯装置では、
上記風呂保温制御部は、上記風呂の湯水の温度を上記風呂設定温度に保つとき、上記第１循環ポンプを予め設定された回転数で連続運転しながら上記第２循環ポンプの回転数をフィードバック制御しても、上記第１,第２循環ポンプを用いた冷却能力または加熱能力が、安定した温度制御が可能な能力よりも小さいときには、上記第１循環ポンプの回転数を段階的に上げる。
【００２０】
上記実施形態によれば、風呂の湯水の温度を風呂設定温度に保つとき、第１循環ポンプを予め設定された回転数で連続運転しながら第２循環ポンプの回転数をフィードバック制御しても、上記第１,第２循環ポンプを用いた冷却能力(または加熱能力)が、安定した温度制御が可能な能力よりも小さいときは、第１循環ポンプの回転数を段階的に上げることによって、風呂の湯水に対する冷却能力(または加熱能力)を上げることで安定した温度制御が可能になる。
【発明の効果】
【００２１】
以上より明らかなように、この発明によれば、風呂の湯水の温度を風呂設定温度に保つように、第１循環ポンプを連続運転しながら第２循環ポンプの回転数をフィードバック制御することによって、風呂の湯水温度の変動が少ない安定した保温ができる給湯装置を実現することができる。
【図面の簡単な説明】
【００２２】
【図１】図１はこの発明の第１実施形態の給湯装置の配管系統図である。
【図２】図２は上記給湯装置の沸き上げ運転時の湯水の流れを示す図である。
【図３】図３は上記給湯装置の給湯運転時の湯水の流れを示す図である。
【図４】図４は上記給湯装置の湯張り運転時の湯水の流れを示す図である。
【図５】図５は上記給湯装置の風呂追い焚き運転時の湯水の流れを示す図である。
【図６】図６は上記給湯装置の風呂ぬるめ運転時の湯水の流れを示す図である。
【図７】図７は上記給湯装置の風呂ぬるめ運転時の風呂の湯水の温度の変化を示す図である。
【図８】図８はこの発明の第２実施形態の給湯装置の配管系統図である。
【図９】図９はこの発明の第４実施形態の給湯装置の配管系統図である。
【発明を実施するための形態】
【００２３】
以下、この発明の給湯装置を図示の実施の形態により詳細に説明する。
【００２４】
〔第１実施形態〕
図１はこの発明の第１実施形態の給湯装置の配管系統図を示している。
【００２５】
この給湯装置は、図１に示すように、貯湯タンク１０を有する貯湯ユニット１と、上記貯湯ユニット１の貯湯タンク１０内の水を沸き上げるためのヒートポンプユニット２とを備えている。
【００２６】
＜沸き上げ回路＞
上記貯湯タンク１０の下部に配管Ｌ１の一端を接続し、配管Ｌ１の他端をポンプ入水弁Ｖ１の第１入水ポートに接続している。また、ポンプ入水弁Ｖ１の出水ポートに配管Ｌ２の一端を接続し、配管Ｌ２の他端をバイパス弁Ｖ２の入水ポートに接続している。この配管Ｌ２に沸き上げポンプＰ１を配設している。この沸き上げポンプＰ１は、第２循環ポンプの一例である。また、バイパス弁Ｖ２の第１出水ポートに配管Ｌ３を介してヒートポンプユニット２の熱交換部２ａの一端に接続している。上記ポンプ入水弁Ｖ１の第２入水ポートに配管Ｌ２６の他端を接続している。
【００２７】
上記ヒートポンプユニット２の熱交換部２ａの他端を配管Ｌ４の一端に接続し、配管Ｌ４の他端を沸き上げ三方弁Ｖ３の入水ポートに接続している。また、バイパス弁Ｖ２の第２出水ポートに配管Ｌ６の一端を接続し、配管Ｌ６の他端を配管Ｌ４の沸き上げ三方弁Ｖ３側に接続している。
【００２８】
また、上記沸き上げ三方弁Ｖ３の第１出水ポートに配管Ｌ５の一端を接続し、配管Ｌ５の他端を貯湯タンク１０の上部に接続している。一方、沸き上げ三方弁Ｖ３の第２出水ポートに配管Ｌ７の一端を接続し、配管Ｌ７の他端を貯湯タンク１０の下部に接続している。
【００２９】
上記配管Ｌ１〜Ｌ５,Ｌ７とポンプ入水弁Ｖ１と沸き上げポンプＰ１とバイパス弁Ｖ２と沸き上げ三方弁Ｖ３で、貯湯タンク１０とヒートポンプユニット２との間の沸き上げ回路を構成している。
【００３０】
なお、図１では、ポンプ入水弁Ｖ１は、配管Ｌ２と配管Ｌ２６が連通した状態を示し、バイパス弁Ｖ２は、配管Ｌ２と配管Ｌ３が連通した状態を示し、沸き上げ三方弁Ｖ３は、配管Ｌ４と配管Ｌ７が連通した状態を示している。
【００３１】
この配管Ｌ１のポンプ入水弁Ｖ１よりも貯湯タンク１０側に、排水用二方弁２７が配設された排水配管Ｌ２７の一端を接続している。通常、排水用二方弁２７は閉じており、メンテナンスなどにより貯湯タンク１０内の水を排水するとき、排水用二方弁２７を開いて、貯湯タンク１０の下部と排水口とを連通させる。
【００３２】
上記沸き上げポンプＰ１により、貯湯タンク１０内の湯水を、配管Ｌ１,ポンプ入水弁Ｖ１,バイパス弁Ｖ２ヒートポンプユニット２の熱交換部２ａ,配管Ｌ４,沸き上げ三方弁Ｖ３および配管Ｌ５(またはＬ７)を介して循環させる。
【００３３】
＜風呂湯張り回路＞
次に、上記貯湯タンク１０の下部に給水配管Ｌ１１を介して外部の給水口を接続している。この給水配管Ｌ１１に、ストレーナ１１と、給水管側から貯湯タンク１０側への流れのみを許容する逆止弁１２と、減圧弁Ｖ１０とを上流側から順に配設している。
【００３４】
また、上記貯湯タンク１０の上部に配管Ｌ２１の一端を接続し、配管Ｌ２１の他端を湯張り混合弁Ｖ４の第１入水ポートに接続している。上記配管Ｌ２１の湯張り混合弁Ｖ４近傍に、貯湯タンク１０側から湯張り混合弁Ｖ４側への流れのみを許容する逆止弁２１を配設している。
【００３５】
上記湯張り混合弁Ｖ４の第２入水ポートに、分岐配管Ｌ１２の一端を接続し、その分岐配管Ｌ１２の他端を、給水配管Ｌ１１の減圧弁Ｖ１０の上流側に接続している。この分岐配管Ｌ１２の湯張り混合弁Ｖ４近傍に、給水口側から湯張り混合弁Ｖ４への流れのみを許容する逆止弁２２を配設している。
【００３６】
また、上記湯張り混合弁Ｖ４の出水ポートに配管Ｌ２２の一端を接続し、配管Ｌ２２の他端を、風呂の浴槽３に設けられた接続アダプタ９の給湯口９ａに接続している。この配管Ｌ２２には、湯張り混合弁Ｖ４側から順に、湯張り電磁弁Ｖ６と、湯張り混合弁Ｖ４側から浴槽３への流れのみを許容する逆止弁５と、水量センサ６と、湯張り混合弁Ｖ４側から浴槽３への流れのみを許容する逆止弁７を配設している。
【００３７】
上記湯張り混合弁Ｖ４は、ステッピングモータ(図示せず)により駆動されるパルス駆動方式の混合弁が用いられている。この湯張り混合弁Ｖ４の第２入水ポート(給水側)の流量に対する第１入水ポート(貯湯タンク１０側)の流量の比は、湯張り混合弁Ｖ４の開度０％〜１００％(例えば駆動パルス０〜１５００)を調整することによって制御される。
【００３８】
上記配管Ｌ２２の逆止弁５と水量センサ６との間に、排水弁Ｖ７が配設された排水配管Ｌ４２の一端を接続している。また、配管Ｌ２１の貯湯タンク１０近傍に、逃がし弁２８が配設された排水配管Ｌ４１の一端を接続している。
【００３９】
上記湯張り電磁弁Ｖ６と逆止弁５と水量センサ６と逆止弁７で複合水弁３０を構成している。
【００４０】
上記配管Ｌ２１,逆止弁２１,湯張り混合弁Ｖ４,配管Ｌ２２,複合水弁３０,給水配管Ｌ１１,逆止弁１２,減圧弁Ｖ１０,分岐配管Ｌ１２および逆止弁２２で、貯湯タンク１０と浴槽３との間の風呂湯張り回路を構成している。
【００４１】
上記複合水弁３０の湯張り電磁弁Ｖ６は、後述する風呂循環回路を介して貯湯タンク１０内の温水を浴槽３内に流す経路を開閉する開閉弁である。
【００４２】
＜風呂循環回路＞
上記接続アダプタ９の吸水口９ｂに配管Ｌ２４の一端を接続し、配管Ｌ２４の他端を追い焚き熱交換器２０の２次側の入力に接続している。上記配管Ｌ２４に風呂循環ポンプＰ２を配設している。この風呂循環ポンプＰ２は、第１循環ポンプの一例である。また、配管Ｌ２２の複合水弁３０よりも下流側に分岐配管Ｌ２３の一端を接続し、分岐配管Ｌ２３の他端を追い焚き熱交換器２０の２次側の出力に接続している。
【００４３】
上記風呂循環ポンプＰ２により、風呂の浴槽３内の湯水を、配管Ｌ２４,追い焚き熱交換器２０(２次側),分岐配管Ｌ２３および配管Ｌ２２の一部を介して循環させる。
【００４４】
上記配管Ｌ２４,追い焚き熱交換器２０(２次側),分岐配管Ｌ２３,配管Ｌ２２および風呂循環ポンプＰ２で風呂循環回路を構成している。
【００４５】
＜風呂追い焚き回路＞
また、上記配管Ｌ２２の複合水弁３０よりも上流側に分岐配管Ｌ２５の一端を接続し、分岐配管Ｌ２５の他端を追い焚き熱交換器２０(１次側)の一端に接続している。上記追い焚き熱交換器２０(１次側)の他端に配管Ｌ２６の一端を接続し、配管Ｌ２６の他端をポンプ入水弁Ｖ１の第２入水ポートに接続している。
【００４６】
上記配管Ｌ２１,湯張り混合弁Ｖ４,配管Ｌ２２の一部,分岐配管Ｌ２５,追い焚き熱交換器２０(１次側),配管Ｌ２６,ポンプ入水弁Ｖ１,配管Ｌ２,バイパス弁Ｖ２,配管Ｌ６,配管Ｌ４の一部,沸き上げ三方弁Ｖ３,配管Ｌ７および沸き上げポンプＰ１で風呂追い焚き回路を構成している。
【００４７】
＜風呂冷却回路＞
また、上記給水配管Ｌ１１の一部,分岐配管Ｌ１２,逆止弁２２,湯張り混合弁Ｖ４,配管Ｌ２２の一部,分岐配管Ｌ２５,追い焚き熱交換器２０(１次側),配管Ｌ２６,ポンプ入水弁Ｖ１,配管Ｌ２,バイパス弁Ｖ２,配管Ｌ６,配管Ｌ４の一部,沸き上げ三方弁Ｖ３,配管Ｌ７および沸き上げポンプＰ１で風呂冷却回路を構成している。
【００４８】
＜給湯回路＞
また、上記貯湯タンク１０の上部に配管Ｌ３１の一端を接続し、配管Ｌ３１の他端を給湯混合弁Ｖ５の第１入水ポートに接続している。上記配管Ｌ３１に、貯湯タンク１０側から給湯混合弁Ｖ５への流れのみを許容する逆止弁２３を配設している。
【００４９】
また、分岐配管Ｌ１２の逆止弁２２近傍かつ給水口側に、分岐配管Ｌ１３の一端を接続し、分岐配管Ｌ１３の他端を給湯混合弁Ｖ５の第２入水ポートに接続している。上記分岐配管Ｌ１３の給湯混合弁Ｖ５近傍に、給水口側から給湯混合弁Ｖ５への流れのみを許容する逆止弁２４を配設している。
【００５０】
上記給湯混合弁Ｖ５の出水ポートに配管Ｌ３２の一端を接続し、配管Ｌ３２の他端を給湯部２６(この実施形態では蛇口)に接続している。上記配管Ｌ３２に水量センサ２５を設けている。
【００５１】
上記給湯混合弁Ｖ５は、ステッピングモータ(図示せず)により駆動されるパルス駆動方式の混合弁が用いられている。この給湯混合弁Ｖ５の第２入水ポート(給水側)の流量に対する第１入水ポート(貯湯タンク１０側)の流量の比は、給湯混合弁Ｖ５の開度０％〜１００％(例えば駆動パルス０〜１５００)を調整することによって制御される。
【００５２】
上記配管Ｌ３１,逆止弁２３,給湯混合弁Ｖ５,配管Ｌ３２,給水配管Ｌ１１,逆止弁１２,減圧弁Ｖ１０,分岐配管Ｌ１２の一部,分岐配管Ｌ１３および逆止弁２４で給湯回路を構成している。
【００５３】
＜温度センサ群＞
また、上記貯湯タンク１０には、下側から上側に向かって略等間隔に６つの温度センサＴ１〜Ｔ６を設けている。また、分岐配管Ｌ１２と分岐配管Ｌ１３の接続点近傍の上流側に、給水温度を検出する温度センサＴ１１を設けている。また、給湯部２６に接続された配管Ｌ３２には、水量センサ２５よりも下流側に給湯温度を検出する温度センサＴ１２を設けている。
【００５４】
また、風呂の浴槽３に接続された配管Ｌ２４には、浴槽３側の接続アダプタ９と風呂循環ポンプＰ２との間に、水位センサＬＳと、水流センサの一例としての水流スイッチＳＷと、温度センサＴ１３を接続アダプタ９側から順に設けている。
【００５５】
さらに、浴槽３に接続された配管Ｌ２２に分岐配管Ｌ２３が接続された接続点に、浴槽３に供給される湯温を検出する温度センサＴ１４を設けている。
【００５６】
また、上記ヒートポンプユニット２の熱交換部２ａへの往き水の入水温度を検出する入水温度センサＴ２１を配管Ｌ３に設けている。
【００５７】
さらに、上記ヒートポンプユニット２の熱交換部２ａからの戻り水の出湯温度を検出する出湯温度センサＴ２２を配管Ｌ４に設けている。
【００５８】
上記ヒートポンプユニット２は、外気温度を検出する外気温度センサＴ２３を有する。また、このヒートポンプユニット２は、冷媒として炭酸ガス(ＣＯ２)を用いており、出湯温度を例えば６５℃〜９０℃の範囲で制御することが可能である。
【００５９】
＜制御装置＞
また、上記貯湯ユニット１は、マイクロコンピュータと入出力回路などからなる制御装置１００を備えている。上記制御装置１００は、リモートコントローラ１１０との間で送受信を行う。上記制御装置１００は、温度センサＴ１〜Ｔ６,Ｔ１１〜Ｔ１４と水位センサＬＳと水流スイッチＳＷと水量センサ６,２５と入水温度センサＴ２１と出湯温度センサＴ２２と外気温度センサＴ２３およびリモートコントローラ１１０からの信号を受けて、ヒートポンプユニット２と沸き上げポンプＰ１と風呂循環ポンプＰ２とポンプ入水弁Ｖ１とバイパス弁Ｖ２と沸き上げ三方弁Ｖ３と湯張り混合弁Ｖ４と給湯混合弁Ｖ５と湯張り電磁弁Ｖ６などを制御する。
【００６０】
また、上記制御装置１００は、湯張り運転制御部１００ａと、第１保温運転制御部１００ｂと、風呂温度制御部１００ｃと、第２保温運転制御部１００ｄと、タイマ１００ｅとを有する。
【００６１】
湯張り運転制御部１００ａは、貯湯タンク１０からの高温の湯と外部からの給水とを混合して第１風呂設定温度の湯を風呂の浴槽３内に供給する湯張り運転を行う。
【００６２】
また、第１保温運転制御部１００ｂは、湯張り運転後の風呂の湯水の温度を第１風呂設定温度に保つように、上記風呂追い焚き回路および風呂循環回路により風呂の湯水を追い焚きする(第１保温運転)。
【００６３】
また、風呂温度制御部１００ｃは、上記風呂冷却回路および風呂循環回路により風呂の湯水を第２風呂設定温度(＜第１風呂設定温度)に冷却する[風呂ぬるめ運転]を行う。この風呂温度制御部１００ｃは、風呂温度制御部の一例である。また、第２風呂設定温度は、ぬるめにした風呂設定温度の一例である。
【００６４】
また、第２保温運転制御部１００ｄは、[風呂ぬるめ運転]後の風呂の湯水の温度を第２風呂設定温度に保つように、上記風呂追い焚き回路および風呂循環回路により風呂の湯水を追い焚きする(第２保温運転)。この第２保温運転制御部１００ｄは、風呂保温制御部の一例である。
【００６５】
また、タイマ１００ｅは、[第１保温運転]の湯水の温度の判定間隔などの計時を行う。
【００６６】
この実施の形態では、第２風呂設定温度を(第１風呂設定温度−２℃)としている。なお、第２風呂設定温度を(第１風呂設定温度−１℃)としてもよく、第２風呂設定温度を(第１風呂設定温度−１℃)と(第１風呂設定温度−２℃)の２段階に設定可能してもよく、第２風呂設定温度は、風呂の湯水をぬるめにするように適宜設定すればよい。
【００６７】
〔沸き上げ運転について〕
図２は上記給湯装置の[沸き上げ運転]時の湯水の流れを示している。この図２では、図１と同一の構成部には同一参照番号を付している。
【００６８】
上記構成の給湯装置において、ヒートポンプユニット２により貯湯タンク１０内の湯を沸き上げる[沸き上げ運転]では、図２に示すように、ポンプ入水弁Ｖ１を配管Ｌ１と配管Ｌ２を連通する位置に切り換え、バイパス弁Ｖ２を配管Ｌ２と配管Ｌ３が連通する位置に切り換える。さらに、沸き上げ三方弁Ｖ３を配管Ｌ４と配管Ｌ５が連通する位置に切り換える。
【００６９】
そうして、制御装置１００によって、沸き上げポンプＰ１を運転して、貯湯タンク１０内の湯を、配管Ｌ１,ポンプ入水弁Ｖ１,配管Ｌ２,バイパス弁Ｖ２,配管Ｌ３,ヒートポンプユニット２の熱交換部２ａ,配管Ｌ４,沸き上げ三方弁Ｖ３および配管Ｌ５(またはＬ７)を介して循環させる。
【００７０】
上記制御装置１００は、[沸き上げ運転]時にヒートポンプユニット２の出湯温度が目標出湯温度ＴＳになるように、ヒートポンプユニット２を制御する。ここで、目標出湯温度ＴＳは、貯湯タンク１０から給湯される湯量などに基づいて制御装置１００で算出される。例えば、使用される湯量が多い場合、目標出湯温度ＴＳは例えば８５℃と高くなり、使用される湯量が少ない場合、目標出湯温度ＴＳは例えば６５℃と低くなる。
【００７１】
〔給湯運転について〕
図３は上記給湯装置の給湯回路による[給湯運転]時の湯水の流れを示している。この図３では、図１と同一の構成部には同一参照番号を付している。
【００７２】
上記給湯装置において、給湯部２６から湯水を供給する[給湯運転]を行う場合は、図３に示すように、給湯部２６の蛇口を開くと、給水圧力により外部からの水が給水配管Ｌ１１を介して貯湯タンク１０の下部から貯湯タンク１０内に供給される。これにより、貯湯タンク１０内の上部から高温の湯が配管Ｌ３１を介して押し出される。
【００７３】
そして、貯湯タンク１０内の上部から高温の湯が、配管Ｌ３１を介して給湯混合弁Ｖ５の第１入水ポートに供給されると共に、外部からの水が給水配管Ｌ１１の一部,分岐配管Ｌ１２および分岐配管Ｌ１３の一部を介して給湯混合弁Ｖ５の第２入水ポート(水側)に供給される。
【００７４】
ここで、貯湯タンク１０内の上部の高温の湯と外部からの水とが給湯混合弁Ｖ５により混合された後、配管Ｌ３２を介して給湯部２６から出湯される。
【００７５】
上記制御装置１００は、[給湯運転]において、給湯部２６の蛇口が開かれて、水量センサ２５により給湯開始が検出されると、目標給湯温度ＴＫに応じた初期混合率[％]を算出する。
【００７６】
上記制御装置１００は、初期混合率[％]に応じた給湯混合弁Ｖ５の目標開度ＤＫを算出し、その目標開度ＤＫに基づいて、給湯混合弁Ｖ５を制御する。
【００７７】
その後の[給湯運転]中は、温度センサＴ１２により検出された給湯温度が目標給湯温度ＴＫになるように、制御装置１００は、給湯混合弁Ｖ５の湯と水の混合比を制御するフィードバック制御を行う。
【００７８】
〔湯張り運転について〕
図４は上記給湯装置の風呂湯張り回路による[湯張り運転]時の湯水の流れを示している。この図４では、図１と同一の構成部には同一参照番号を付している。
【００７９】
上記給湯装置において、貯湯タンク１０から風呂の浴槽３内に給湯する[湯張り運転]を行う場合、図４に示すように、制御装置１００の湯張り運転制御部１００ａにより湯張り電磁弁Ｖ６を開くと、貯湯タンク１０内の上部の高温の湯が、配管Ｌ２１,湯張り混合弁Ｖ４および配管Ｌ２２を介して浴槽３内に供給される。このとき、湯張り運転制御部１００ａは、湯張り混合弁Ｖ４を制御して、第１風呂設定温度に基づいて、貯湯タンク１０からの高温の湯と外部からの給水とを混合する。そして、水位センサＬＳにより検出された浴槽３内の水位が設定水位になると、湯張り電磁弁Ｖ６を閉じる。
【００８０】
なお、[湯張り運転]において、ユーザーがリモートコントローラ１１０を操作して、制御装置１００で設定水位と第１風呂設定温度を自動的に保つ風呂自動運転モードが選択されると、貯湯タンク１０から風呂の浴槽３内に給湯する[湯張り運転]を行った後、浴槽３内の湯面水位を設定水位に保つと共に湯温を第１風呂設定温度に保つようにする。
【００８１】
上記風呂自動運転モードは、風呂の湯水の温度を第１風呂設定温度に保つように、上記風呂追い焚き回路および風呂循環回路により風呂の湯水を追い焚きする[第１保温運転]を含む。
【００８２】
〔風呂追い焚き運転について〕
図５は上記給湯装置の風呂追い焚き回路および風呂循環回路による[風呂追い焚き運転]時の湯水の流れを示している。この図５では、図１と同一の構成部には同一参照番号を付している。
【００８３】
上記給湯装置において、風呂の浴槽３内の湯水を加熱して追い焚きする[風呂追い焚き運転]を行う場合、図５に示すように、制御装置１００によって、ポンプ入水弁Ｖ１を配管Ｌ２６と配管Ｌ２を連通する位置に切り換え、バイパス弁Ｖ２を配管Ｌ２と配管Ｌ６が連通する位置に切り換える。さらに、沸き上げ三方弁Ｖ３を配管Ｌ６と配管Ｌ７が連通する位置に切り換える。
【００８４】
そして、制御装置１００によって、湯張り混合弁Ｖ４の開度を湯側に全開になるようにした状態で、沸き上げポンプＰ１を運転して、貯湯タンク１０内の上部の湯を、配管Ｌ２１,湯張り混合弁Ｖ４,配管Ｌ２２の一部,分岐配管Ｌ２５,追い焚き熱交換器２０(１次側),配管Ｌ２６,ポンプ入水弁Ｖ１,配管Ｌ２,配管Ｌ６,配管Ｌ４の一部および配管Ｌ７を介して循環させる。このとき、風呂循環ポンプＰ２を運転して、浴槽３内の湯水を配管Ｌ２４,追い焚き熱交換器２０(２次側),分岐配管Ｌ２３および配管Ｌ２２の一部を介して循環させることにより、追い焚き熱交換器２０で浴槽３側の湯水を加熱して追い焚きを行う。
【００８５】
〔風呂ぬるめ運転について〕
図６は上記給湯装置の風呂冷却回路による[風呂ぬるめ運転]時の湯水の流れを示している。この図６では、図１と同一の構成部には同一参照番号を付している。
【００８６】
上記給湯装置において、風呂の浴槽３内の湯水を冷却してぬるめにする[風呂ぬるめ運転]を行う場合、図６に示すように、制御装置１００の風呂温度制御部１００ｃによって、ポンプ入水弁Ｖ１を配管Ｌ２６と配管Ｌ２を連通する位置に切り換え、バイパス弁Ｖ２を配管Ｌ２と配管Ｌ６が連通する位置に切り換える。さらに、沸き上げ三方弁Ｖ３を配管Ｌ６と配管Ｌ７が連通する位置に切り換える。
【００８７】
そして、風呂温度制御部１００ｃによって、湯張り混合弁Ｖ４の開度を水側に全開になるようにした状態で、沸き上げポンプＰ１を運転して、貯湯タンク１０内の下部の冷水を、給水配管Ｌ１１の一部,分岐配管Ｌ１２,湯張り混合弁Ｖ４,配管Ｌ２２の一部,分岐配管Ｌ２５,追い焚き熱交換器２０(１次側),配管Ｌ２６,ポンプ入水弁Ｖ１,配管Ｌ２,配管Ｌ６,配管Ｌ４の一部および配管Ｌ７を介して循環させる。このとき、風呂循環ポンプＰ２を運転して、浴槽３内の湯水を配管Ｌ２４,追い焚き熱交換器２０(２次側),分岐配管Ｌ２３および配管Ｌ２２の一部を介して循環させることにより、追い焚き熱交換器２０で浴槽３側の湯水を冷却してぬるめにする。
【００８８】
なお、この[風呂ぬるめ運転]では、ユーザーがリモートコントローラ１１０を操作することにより、第１風呂設定温度を変更することなく、湯温を第２風呂設定温度(＝第１風呂設定温度−２℃)にして所定時間(この実施の形態では１０分間)保持した後、浴槽３側の湯水の温度を第１風呂設定温度に戻すようにしている。
【００８９】
上記[風呂ぬるめ運転]において、制御装置１００で風呂の湯水の温度を第２風呂設定温度に保つ[第２保温運転]が選択される。これにより、風呂の湯水の温度を第２風呂設定温度に保つように、風呂追い焚き回路および風呂循環回路により風呂の湯水を追い焚きする。
【００９０】
ここで、[風呂ぬるめ運転]および[第２保温運転]では、風呂循環ポンプＰ２を連続運転している。
【００９１】
図７は上記給湯装置の[風呂ぬるめ運転]時の風呂の湯水の温度の変化を示している。図７において、横軸は経過時間[任意目盛]を表し、縦軸は風呂の湯水の温度[任意目盛]を表している。
【００９２】
上記風呂湯張り回路による[湯張り運転]により、風呂循環回路を介して通常の第１風呂設定温度の温水を浴槽３内に設定水位になるまで供給した後の[第１保温運転]において、風呂の湯水の温度を第１風呂設定温度に保つように、風呂追い焚き回路(Ｌ２１,Ｖ４,Ｌ２２の一部,Ｌ２５,２０(１次側),Ｌ２６,Ｖ１,Ｌ２,Ｖ２,Ｌ６,Ｌ４の一部,Ｖ３,Ｌ７およびＰ１)および風呂循環回路(Ｌ２４,２０(２次側),Ｌ２３,Ｌ２２およびＰ２)を用いて、風呂の湯水を追い焚きする。
【００９３】
この[第１保温運転]において、ユーザー操作により[風呂ぬるめ運転]が選択されると、図７に示すように、風呂温度制御部１００ｃによって、風呂冷却回路(Ｌ１１の一部,Ｌ１２,２２,Ｖ４,Ｌ２２の一部,Ｌ２５,２０(１次側),Ｌ２６,Ｖ１,Ｌ２,Ｖ２,Ｌ６,Ｌ４の一部,Ｖ３,Ｌ７およびＰ１)および風呂循環回路(Ｌ２４,２０(２次側),Ｌ２３,Ｌ２２およびＰ２)を用いて、風呂の湯水を冷却する[風呂ぬるめ運転]を開始して、風呂の湯水の温度が第２風呂設定温度(＝第１風呂設定温度−２℃)になると、[風呂ぬるめ運転]を終了して、第２保温運転制御部１００ｄにより[第２保温運転]を開始する。このとき、第２保温運転制御部１００ｄは、タイマ１００ｅの計時をゼロからスタートさせる。
【００９４】
次に、[風呂ぬるめ運転]後の[第２保温運転]において、第２保温運転制御部１００ｄによって、風呂の湯水の温度を第２風呂設定温度(＜第１風呂設定温度)に保つように、風呂循環ポンプＰ２を連続運転しながら沸き上げポンプＰ１の回転数をフィードバック制御する。こうして、上記風呂追い焚き回路および風呂循環回路により風呂の湯水を追い焚きする。
【００９５】
そして、第２保温運転制御部１００ｄは、タイマ１００ｅの計時に基づいて、[第２保温運転]で風呂の湯水の温度を第２風呂設定温度に所定時間(この実施の形態では１０分間)保持した後、[第２保温運転]を終了する。
【００９６】
上記[風呂ぬるめ運転]および[第２保温運転]において風呂循環ポンプＰ２を連続運転している。
【００９７】
次に、[第２保温運転]が終了すると、第１保温運転制御部１００ｂによって、[第１保温運転]となり、タイマ１００ｅの計時をゼロからスタートさせて、タイマ１００ｅの計時に基づいて２０分間隔で浴槽３内の湯水の温度を判定する。このとき、風呂の湯水の温度が自然放熱により徐々に下がる。
【００９８】
なお、[第１保温運転]において、浴槽３内の湯水の温度判定の間隔は、水位センサＬＳを用いた入浴検知などに基づく学習によって変更可能としてもよい。
【００９９】
上記タイマ１００ｅの計時が２０分を経過して浴槽３内の湯水の温度を判定するとき、風呂循環ポンプＰ２を運転して、風呂の浴槽３内の湯水を、配管Ｌ２４,追い焚き熱交換器２０(２次側),分岐配管Ｌ２３および配管Ｌ２２の一部を介して循環させる。これにより、浴槽３内の湯水の温度を温度センサＴ１３により検出する。
【０１００】
そして、温度センサＴ１３により検出された浴槽３内の湯水の温度が、第１風呂設定温度から下がって温度差が△Ｔ１(例えば１.０℃)以上になると、第１保温運転制御部１００ｂによって、風呂の湯水の温度を第１風呂設定温度(＞第２風呂設定温度)に保つように、上記風呂追い焚き回路および風呂循環回路により風呂の湯水を追い焚きする。
【０１０１】
なお、図７の[第２保温運転]の期間における点線の温度変化は、沸き上げポンプＰ１の回転数を一定にした制御による風呂温度の変化を示す比較例である。なお、この比較例は、本発明と比較するためのものであって本発明ではない。
【０１０２】
この比較例では、第２保温運転において、風呂の湯水の温度が第２風呂設定温度から下がって温度差が△Ｔ２(例えば０.５℃)以上になると、風呂循環ポンプＰ２を連続運転しながら、風呂の湯水の温度が第２風呂設定温度(＜第１風呂設定温度)になるまで沸き上げポンプＰ１を運転している。
【０１０３】
このように、比較例では、図７の点線に示す風呂の湯水温度の変動が大きく安定していない。これに対して、第１実施形態の給湯装置では、図７の実線に示す風呂の湯水温度の変動が極めて少なく安定している。
【０１０４】
上記構成の給湯装置によれば、制御装置１００の風呂温度制御部１００ｃによって、風呂循環ポンプＰ２(第１循環ポンプ)と沸き上げポンプＰ１(第２循環ポンプ)を制御して、風呂の湯水の温度を第２風呂設定温度にした後、制御装置１００の第２保温運転制御部(風呂保温制御部)１００ｄによって、風呂の湯水の温度を第２風呂設定温度に保つように、風呂循環ポンプＰ２を連続運転しながら沸き上げポンプＰ１の回転数をフィードバック制御する。このように、沸き上げポンプＰ１の回転数をフィードバック制御することによって、風呂の湯水温度の変動が少ない安定した保温ができる。これによって、ユーザーが違和感や不快感を覚えたり、快適性が損なわれたりしない。
【０１０５】
また、風呂の湯水を保温するときに風呂循環ポンプＰ２を連続運転するので、風呂の湯水の温度検出が的確に行えると共に、保温時に風呂の湯水を連続循環させることで、風呂の放熱量に応じた追い焚き熱量を[風呂追い焚き運転]により効率よく風呂の湯水に伝えることが可能になる。
【０１０６】
また、上記風呂温度制御部１００ｃによって、風呂循環ポンプＰ２と沸き上げポンプＰ１を制御して、風呂の湯水の温度をぬるめにした第２風呂設定温度にする。そして、第２保温運転制御部１００ｄによって、風呂の湯水の温度をぬるめにした第２風呂設定温度に保つように、風呂循環ポンプＰ２を連続運転しながら沸き上げポンプＰ１の回転数をフィードバック制御する。これにより、第１風呂設定温度よりもぬるめの湯水温度の変動が少ない安定した保温ができ、ぬるめの入浴時における快適性が向上する。
【０１０７】
また、上記風呂保温制御部１００ｄによって、温度センサＴ１４により検出された風呂の湯水の温度とぬるめにした第２風呂設定温度との温度差の絶対値が最小になるように、第２循環ポンプＰ１の回転数をフィードバック制御するので、第１風呂設定温度よりもぬるめの湯水温度の変動をより少なくでき、安定した保温ができる。
【０１０８】
なお、風呂保温制御部１００ｄによって、温度センサＴ１４により検出された風呂の湯水の温度とぬるめにした第２風呂設定温度との温度差の絶対値が所定温度以内になるように、第２循環ポンプＰ１の回転数をフィードバック制御してもよい。この場合、第１風呂設定温度よりもぬるめの湯水温度の変動を容易に抑えることができる。
【０１０９】
また、上記風呂の湯水の温度を風呂設定温度に保つとき、第２保温運転制御部１００ｄによって、風呂循環ポンプＰ２を予め設定された回転数で連続運転するので、沸き上げポンプＰ１の回転数に対するフィードバック制御を容易に行うことができる。
【０１１０】
〔第２実施形態〕
図８はこの発明の第２実施形態の給湯装置の配管系統図を示している。この第２実施形態の給湯装置は、制御装置２００を除いて第１実施形態の給湯装置と同一の構成をしており、図１〜図７を援用する。図８において、第１実施形態の給湯装置と同一構成部には同一参照番号を付している。
【０１１１】
この第２実施形態の給湯装置の制御装置２００は、図８に示すように、湯張り運転制御部２００ａと、第１保温運転制御部２００ｂと、風呂温度制御部２００ｃと、第２保温運転制御部２００ｄと、タイマ２００ｅとを有する。この湯張り運転制御部２００ａと第１保温運転制御部２００ｂと第２保温運転制御部２００ｄおよびタイマ２００ｅは、第１実施形態の湯張り運転制御部１００ａと第１保温運転制御部１００ｂと第２保温運転制御部１００ｄおよびタイマ１００ｅとそれぞれ同一であり、風呂温度制御部２００ｃのみが異なる。
【０１１２】
この第２実施形態の給湯装置は、第１実施形態の給湯装置の[風呂ぬるめ運転]に加えて次の[風呂あつめ運転]を行う機能を有する。
【０１１３】
〔風呂あつめ運転について〕
上記給湯装置において、風呂の浴槽３内の湯水を加熱してあつめにする[風呂あつめ運転]を行う場合、図４に示すように、制御装置２００の風呂温度制御部２００ｃによって、ポンプ入水弁Ｖ１を配管Ｌ２６と配管Ｌ２を連通する位置に切り換え、バイパス弁Ｖ２を配管Ｌ２と配管Ｌ６が連通する位置に切り換える。さらに、沸き上げ三方弁Ｖ３を配管Ｌ６と配管Ｌ７が連通する位置に切り換える。
【０１１４】
そして、制御装置２００によって、湯張り混合弁Ｖ４の開度を湯側に全開になるようにした状態で、沸き上げポンプＰ１を運転して、貯湯タンク１０内の上部の湯を、配管Ｌ２１,湯張り混合弁Ｖ４,配管Ｌ２２の一部,分岐配管Ｌ２５,追い焚き熱交換器２０(１次側),配管Ｌ２６,ポンプ入水弁Ｖ１,配管Ｌ２,配管Ｌ６,配管Ｌ４の一部および配管Ｌ７を介して循環させる。このとき、風呂循環ポンプＰ２を運転して、浴槽３内の湯水を配管Ｌ２４,追い焚き熱交換器２０(２次側),分岐配管Ｌ２３および配管Ｌ２２の一部を介して循環させることにより、追い焚き熱交換器２０で浴槽３側の湯水を加熱してあつめにする。
【０１１５】
なお、この[風呂あつめ運転]では、ユーザーがリモートコントローラ１１０を操作することにより、第１風呂設定温度を変更することなく、湯温を第２風呂設定温度(＝第１風呂設定温度＋２℃)にして所定時間(この実施の形態では１０分間)保持した後、浴槽３側の湯水の温度を第１風呂設定温度に戻すようにしている。この第２風呂設定温度は、あつめにした風呂設定温度の一例である。
【０１１６】
上記[風呂あつめ運転]において、制御装置２００で風呂の湯水の温度を第２風呂設定温度に保つ[第２保温運転]が選択される。これにより、風呂の湯水の温度を第２風呂設定温度に保つように、風呂追い焚き回路および風呂循環回路により風呂の湯水を追い焚きする。
【０１１７】
ここで、[風呂ぬるめ運転]と[風呂あつめ運転]および[第２保温運転]では、風呂循環ポンプＰ２を連続運転している。
【０１１８】
上記給湯装置において、通常の第１風呂設定温度の湯を風呂に供給する[湯張り運転]をした後、第１保温運転制御部２００ｂは、風呂の湯水の温度を第１風呂設定温度に保つように、風呂追い焚き回路(Ｌ２１,Ｖ４,Ｌ２２の一部,Ｌ２５,２０(１次側),Ｌ２６,Ｖ１,Ｌ２,Ｖ２,Ｌ６,Ｌ４の一部,Ｖ３,Ｌ７およびＰ１)および風呂循環回路(Ｌ２４,２０(２次側),Ｌ２３,Ｌ２２およびＰ２)を用いて、風呂の湯水を追い焚きする(第１保温運転)。
【０１１９】
そして、あつめの湯を希望するユーザーの操作によって、風呂温度制御部２００ｃにより、風呂追い焚き回路(Ｌ２１,Ｖ４,Ｌ２２の一部,Ｌ２５,２０(１次側),Ｌ２６,Ｖ１,Ｌ２,Ｖ２,Ｌ６,Ｌ４の一部,Ｖ３,Ｌ７およびＰ１)および風呂循環回路(Ｌ２４,２０(２次側),Ｌ２３,Ｌ２２およびＰ２)を用いて、風呂の湯水を加熱して、第１風呂設定温度よりも高いあつめの第２風呂設定温度にする。
【０１２０】
風呂の湯水をあつめの第２風呂設定温度にした状態で、第２保温運転制御部２００ｄは、風呂の湯水の温度を第２風呂設定温度に保つように、上記風呂追い焚き回路および風呂循環回路により風呂の湯水を追い焚きする(第２保温運転)。このとき、第２保温運転制御部(風呂保温制御部)２００ｄによって、風呂の湯水の温度を第２風呂設定温度に保つように、風呂循環ポンプＰ２(第１循環ポンプ)を連続運転しながら沸き上げポンプＰ１(第２循環ポンプ)の回転数をフィードバック制御することにより、第１風呂設定温度よりもあつめの湯水温度の変動が少ない安定した保温ができ、あつめの入浴時における快適性が向上する。
【０１２１】
次に、風呂の湯水の温度を第２風呂設定温度に保つ[第２保温運転]の終了後において、第１実施形態と同様に、第１保温運転制御部２００ｂによる[第１保温運転]となる。
【０１２２】
上記第２実施形態の給湯装置は、第１実施形態の給湯装置と同様の効果を有する。
【０１２３】
〔第３実施形態〕
この発明の第３実施形態の給湯装置は、制御装置の動作を除いて第２実施形態の給湯装置と同一の構成をしており、図１〜図７を援用する。
【０１２４】
上記第２実施形態の給湯装置では、[風呂ぬるめ運転]および[風呂あつめ運転]において、第２保温運転制御部２００ｄにより、風呂の湯水の温度を第２風呂設定温度に保つように、風呂循環ポンプＰ２を連続運転しながら沸き上げポンプＰ１の回転数をフィードバック制御している。
【０１２５】
これに対して、この第３実施形態の給湯装置では、[風呂ぬるめ運転]および[風呂あつめ運転]において風呂の湯水の温度を第２風呂設定温度に保つとき、第２保温運転制御部(風呂保温制御部)２００ｄは、風呂循環ポンプＰ２(第１循環ポンプ)を予め設定された回転数で連続運転しながら沸き上げポンプＰ１(第２循環ポンプ)の回転数をフィードバック制御しても、風呂循環ポンプＰ２,沸き上げポンプＰ１を用いた冷却能力(または加熱能力)が、安定した温度制御が可能な能力よりも大きいときは、風呂循環ポンプＰ２の回転数を段階的に下げる。
【０１２６】
これによって、上記給湯装置によれば、[風呂ぬるめ運転]において風呂の湯水に対する冷却能力を下げることで安定した温度制御が可能になる。また、[風呂あつめ運転]において風呂の湯水に対する加熱能力を下げることで安定した温度制御が可能になる。
【０１２７】
なお、上記第３実施形態において、さらに、[風呂ぬるめ運転]および[風呂あつめ運転]において風呂の湯水の温度を第２風呂設定温度に保つとき、第２保温運転制御部(風呂保温制御部)２００ｄは、風呂循環ポンプＰ２(第１循環ポンプ)を予め設定された回転数で連続運転しながら沸き上げポンプＰ１(第２循環ポンプ)の回転数をフィードバック制御しても、風呂循環ポンプＰ２,沸き上げポンプＰ１を用いた冷却能力(または加熱能力)が、安定した温度制御が可能な能力よりも小さいときは、風呂循環ポンプＰ２の回転数を段階的に上げて、冷却能力(または加熱能力)を上げるようにしてもよい。
【０１２８】
また、上記沸き上げポンプＰ１(第２循環ポンプ)の回転数フィードバック制御において、冷却能力(または加熱能力)を上げる制御のみを行うようにしてもよい。
【０１２９】
〔第４実施形態〕
図９はこの発明の第４実施形態の給湯装置の配管系統図を示している。この第４実施形態の給湯装置は、制御装置３００を除いて第２実施形態の給湯装置と同一の構成をしており、図１〜図７を援用する。図９において、第２実施形態の給湯装置と同一構成部には同一参照番号を付している。
【０１３０】
この第４実施形態の給湯装置の制御装置３００は、図８に示すように、湯張り運転制御部３００ａと、第１保温運転制御部３００ｂと、風呂温度制御部３００ｃと、第２保温運転制御部３００ｄと、タイマ３００ｅとを有する。この湯張り運転制御部３００ａと風呂温度制御部３００ｃと第２保温運転制御部３００ｄおよびタイマ３００ｅは、第２実施形態の湯張り運転制御部２００ａと風呂温度制御部２００ｃと第２保温運転制御部２００ｄおよびタイマ２００ｅとそれぞれ同一であり、第１保温運転制御部３００ｂのみが異なる。
【０１３１】
この第４実施形態では、第１保温運転制御部３００ｂは、第２保温運転制御部３００ｄと同様、風呂保温制御部の一例である。
【０１３２】
上記給湯装置において、ユーザーがリモートコントローラ１１０を操作して、制御装置１００で設定水位と第１風呂設定温度を自動的に保つ風呂自動運転モードが選択されると、貯湯タンク１０から風呂の浴槽３内に給湯する[湯張り運転]を行った後、浴槽３内の湯面水位を設定水位に保つと共に湯温を第１風呂設定温度に保つように[第１保温運転]を行う。
【０１３３】
上記構成の給湯装置によれば、制御装置３００の風呂温度制御部３００ｃによって、風呂循環ポンプＰ２(第１循環ポンプ)と沸き上げポンプＰ１(第２循環ポンプ)を制御して、風呂の湯水の温度を第１風呂設定温度にする。そして、制御装置３００の第１保温運転制御部(風呂保温制御部)３００ｂによって、風呂の湯水の温度を第１風呂設定温度に保つように、風呂循環ポンプＰ２を連続運転しながら沸き上げポンプＰ１の回転数をフィードバック制御する(第１保温運転)。
【０１３４】
このようにして、沸き上げポンプＰ１の回転数をフィードバック制御することによって、風呂の湯水温度の変動が少ない安定した保温ができる。これによって、ユーザーが違和感や不快感を覚えたり、快適性が損なわれたりしない。
【０１３５】
また、風呂循環ポンプＰ２を連続運転するので、風呂の湯水の温度検出が的確に行えると共に、保温時に風呂の湯水を連続循環させることで、風呂の放熱量に応じた追い焚き熱量を[風呂追い焚き運転]により効率よく風呂の湯水に伝えることが可能になる。
【０１３６】
上記第４実施形態の給湯装置は、第２実施形態の給湯装置と同様に、第２保温運転制御部(風呂保温制御部)２００ｄにより[風呂ぬるめ運転]および[風呂あつめ運転]を行う機能を有するが、[風呂ぬるめ運転]および[風呂あつめ運転]を行う機能は無くてもよい。
【０１３７】
上記第１〜第４実施形態では、貯湯タンク１０を備えたヒートポンプ方式の給湯装置について説明したが、給湯装置はこれに限らず、少なくとも風呂追い焚き回路を用いた保温運転機能を備えた給湯装置にこの発明を適用することができる。
【０１３８】
この発明の具体的な実施の形態について説明したが、この発明は上記第１〜第４実施形態に限定されるものではなく、この発明の範囲内で種々変更して実施することができる。例えば、上記第１〜第４実施形態で記載した内容を適宜組み合わせたものを、この発明の一実施形態としてもよい。
【符号の説明】
【０１３９】
１…貯湯ユニット
２…ヒートポンプユニット
２ａ…熱交換部
３…浴槽
５,７,１２,２１,２２,２３,２４…逆止弁
６,２５…水量センサ
９…接続アダプタ
９ａ…給湯口
９ｂ…吸水口
１０…貯湯タンク
１１…ストレーナ
２０…追い焚き熱交換器
２６…給湯部
２７…排水用二方弁
２８…逃がし弁
３０…複合水弁
１００,２００,３００…制御装置
１００ａ,２００ａ,３００ａ…湯張り運転制御部
１００ｂ,２００ｂ…第１保温運転制御部
１００ｃ,２００ｃ,３００ｃ…風呂温度制御部
１００ｄ,２００ｄ,３００ｄ…第２保温運転制御部(風呂保温制御部)
１００ｅ,２００ｅ,３００ｅ…タイマ
３００ｂ…第１保温運転制御部(風呂保温制御部)
１１０…リモートコントローラ
Ｌ１〜Ｌ７,Ｌ２１,Ｌ２２,Ｌ２４,Ｌ２６,Ｌ３１,Ｌ３２…配管
Ｌ１１…給水配管
Ｌ１２,Ｌ１３,Ｌ２３,Ｌ２５…分岐配管
Ｌ４１,Ｌ４２…排水配管
ＬＳ…水位センサ
Ｐ１…沸き上げポンプ(第２循環ポンプ)
Ｐ２…風呂循環ポンプ(第１循環ポンプ)
ＳＷ…水流スイッチ
Ｔ１〜Ｔ６,Ｔ１１〜Ｔ１４,…温度センサ
Ｔ２１…入水温度センサ
Ｔ２２…出湯温度センサ
Ｔ２３…外気温度センサ
Ｖ１…ポンプ入水弁
Ｖ２…バイパス弁
Ｖ３…沸き上げ三方弁
Ｖ４…湯張り混合弁
Ｖ５…給湯混合弁
Ｖ６…湯張り電磁弁
Ｖ１０…減圧弁
【図１】
2018100815.tif 000003
【図２】
2018100815.tif 000004
【図３】
2018100815.tif 000005
【図４】
2018100815.tif 000006
【図５】
2018100815.tif 000007
【図６】
2018100815.tif 000008
【図７】
2018100815.tif 000009
【図８】
2018100815.tif 000010
【図９】
2018100815.tif 000011